(57)【要約】【課題】簡単な製法で古紙幣を有効活用でき、さらに廃棄されたことを確実に把握可能な古紙幣パッドおよび古紙幣パッドを用いた葬祭具を提供する。【解決手段】裁断後の古紙幣に対してさらに裁断処理を行って裁断細紙幣を形成し、その裁断細紙幣を不織布の袋に封入した古紙幣パッドが棺の中に１個以上配置され、その古紙幣パッドが棺の中に納められた遺体と棺との隙間を埋めて、遺体を固定する充填物として機能していることを特徴とする。【選択図】図１
0003153238.tif 000002
【実用新案登録請求の範囲】
【請求項１】
裁断後の古紙幣に対してさらに裁断処理を行って裁断細紙幣を形成し、その裁断細紙幣を袋に封入したことを特徴とする古紙幣パッド。
【請求項２】
前記袋は不織布で構成され、前記裁断細紙幣を充填後に開口部を熱溶着によって封をすることを特徴とする請求項１に記載の古紙幣パッド。
【請求項３】
前記裁断処理によって得られる裁断細紙幣は、第１裁断細紙幣と、この第１裁断細紙幣よりも小さい第２裁断細紙幣と、によって形成され、
前記袋に封入する前記裁断細紙幣は、前記第１裁断細紙幣と前記第２裁断細紙幣との混合体であることを特徴とする請求項１または２に記載の古紙幣パッド。
【請求項４】
前記第１裁断細紙幣は０．２〜１．５ｍｍ×１．０〜１０ｍｍの略矩形状であり、前記第２裁断細紙幣は０．２〜１．５ｍｍ角の略矩形状であることを特徴とする請求項３に記載の古紙幣パッド。
【請求項５】
前記古紙幣パッドの前記袋は、幅が６〜１２ｃｍで長さが１３〜２０ｃｍの大きさであることを特徴とする請求項１ないし４のいずれか１項に記載の古紙幣パッド。
【請求項６】
前記袋に封入する前記裁断細紙幣の量を、４０〜８０ｇとしたことを特徴とする請求項１ないし５のいずれか１項に記載の古紙幣パッド。
【請求項７】
請求項１ないし６のいずれか１項に記載された古紙幣パッドが棺の中に納められた遺体と前記棺との隙間を埋めて、前記遺体を固定する充填物として機能していることを特徴とする古紙幣パッドを用いた葬祭具。
【請求項８】
前記充填物としての古紙幣パッドは、仏教儀式における忌明けまでの日数に対応した個数だけ、前記棺の中に配置されていることを特徴とする請求項７に記載の古紙幣パッドを用いた葬祭具。
【請求項９】
前記充填物としての古紙幣パッドは、前記棺の中に４９個配置されていることを特徴とする請求項８に記載の古紙幣パッドを用いた葬祭具。
【請求項１０】
請求項１ないし６のいずれか１項に記載された古紙幣パッドが葬祭具として遺体とともに棺の中に納められることを特徴とする古紙幣パッドを用いた葬祭具。
【請求項１１】
前記棺の中に納められた遺体には頭陀袋が掛けられており、前記古紙幣パッドは前記頭陀袋の中に収納されることを特徴とする請求項１０に記載の古紙幣パッドを用いた葬祭具。
【請求項１２】
前記古紙幣パッドの袋には、仏教儀式に関連する文字および図柄の少なくとも一方が印刷または貼り付けられ、もしくは仏教儀式に関連する文字および図柄の少なくとも一方が印刷されたラベルと一緒に、前記古紙幣パッドが前記遺体とともに前記棺の中に納められることを特徴とする請求項７ないし請求項１１のいずれか１項に記載の古紙幣パッドを用いた葬祭具。
【請求項１３】
前記棺の中に納められた遺体には頭陀袋が掛けられており、前記古紙幣パッドは前記頭陀袋の中に収納され、別途用意された仏教儀式に関連する文字および図柄の少なくとも一方が印刷された前記ラベルがあれば、当該ラベルは前記頭陀袋の上に配置されることを特徴とする請求項１２に記載の古紙幣パッドを用いた葬祭具。
【請求項１４】
前記袋あるいは前記ラベルには、六文銭の図柄が印刷されていることを特徴とする請求項１２または請求項１３に記載の古紙幣パッドを用いた葬祭具。
【考案の詳細な説明】
【技術分野】
【０００１】
本考案は、古紙幣パッドおよび古紙幣パッドを用いた葬祭具に関する。
【背景技術】
【０００２】
従来、クッション材として、海綿状の粉砕物を二重封筒となった内部に挿入されたクッション封筒がある。また、二重封筒内に合成樹脂製のクッション材を使用しているクッション封筒もある。
【０００３】
しかし、従来の海綿状の粉砕物を挿入したタイプでは、その外表面の封筒が破れると中からその粉砕物が散乱してしまうこともあり、さらには粉塵までも撒き散らすこともあった。また、封筒内に合成樹脂製のクッション材を使用している場合には、使用済みの封筒でも、燃せるゴミにはできないという不都合があり、環境的にも問題があった。さらに、使い終わった後には、現在では、一般的にその封筒とクッション材とを分別して捨てなければならない問題もある。
【０００４】
そこで、紙粉末成分または植物性粉末成分を主成分とし、成型時において紐状物が複数平行となって相互に結合された所定幅で、シート状に押圧成形され、その長手方向においてほぼ真中の折り部で２つ折りに形成されたシート状クッション材と封筒とからなり、シート状クッション材の２つ折り側が封筒内の奥になるようにしてシート状クッション材が封筒内にほぼ一杯に挿入されたクッション封筒が考案されている（特許文献１参照）。
【０００５】
また、紙粉末成分または植物性粉末成分を主成分とし、かつシート状に押圧成形されたシート状発泡体から足型に成形され、その表面側には不織布が貼着され、クッション性に優れた良好な履き心地を有し、かつ比較的耐久性があり、使用後等には一般ゴミとして焼却可能であり、ひいては自然環境に優れた靴の中敷が考案されている（特許文献２参照）。
【０００６】
また、紙粉末成分または植物性粉末成分を主成分としたシート状発泡体からなり、優れた吸収性を有するとともに乾燥も早くすることができ、かつ耐久性に優れ、ある程度の繰り返し利用が可能であり、使用後等には一般ゴミとして焼却可能であり、ひいては自然環境に優しいコースターが考案されている（特許文献３参照）。
【先行技術文献】
【特許文献】
【０００７】
【特許文献１】特開２００４−２４４０３７号公報
【特許文献２】実登３０８４６１８号公報
【特許文献３】実登３０８４４４５号公報
【考案の概要】
【考案が解決しようとする課題】
【０００８】
従来技術においては、紙粉末成分の材料として、官製葉書（あるいは葉書古紙），古紙幣，切手古紙，上質紙（あるいは古紙上質紙）等の紙材を再利用することができる。しかし、製造後、製品が出荷されて店頭に陳列され、消費者が購入して使用後に廃棄するまでに、流通ルートを経由する際に不特定多数の人手をわたる。このため、製品に古紙幣を用いた場合、悪意を持った人物により、古紙幣のみが製品から抽出され復元されてしまうという問題も生ずる。
【０００９】
また、これら製品が廃棄されたのかといったような、出荷後の経過を把握することができず、粉砕されているとはいえ、古紙幣を用いるにあたっては安全上の不安材料となる。
【００１０】
さらに、上述の製法では、澱粉成分やポリオレフィン系樹脂のような補助材とともに用いること、押圧成形することがネックとなって、古紙幣の用途が限られてしまうという問題も生ずる。
【００１１】
上記問題を背景とし、本考案は、簡単な製法で古紙幣を有効活用でき、さらに廃棄されたことを確実に把握可能な古紙幣パッドおよび古紙幣パッドを用いた葬祭具を提供することを目的とする。
【課題を解決するための手段及び考案の効果】
【００１２】
上記課題を解決するために、本考案の古紙幣パッドは、裁断後の古紙幣に対してさらに裁断処理を行って裁断細紙幣を形成し、その裁断細紙幣を袋に封入したことを特徴とする。
【００１３】
上記構成によって、澱粉成分やポリオレフィン系樹脂のような補助材とともに用いる必要もなく、押圧成形することもないため、製法が簡単となり製造コストも低減でき、古紙幣の用途を広げることが可能となる。
【００１４】
また、本考案の古紙幣パッドにおける袋は不織布で構成され、裁断細紙幣を充填後に開口部を熱溶着によって封をすることを特徴とする。
【００１５】
不織布は熱溶着が容易であるという特徴を有しているので、上記構成によって、袋から古紙幣がこぼれ出ることを防止できる。また、不織布は、水に濡れても強度が落ちず、引き裂きの強度も紙より丈夫であり、切り口が布のようにほつれないので、裁断細紙幣が開口部から外部にこぼれ出ることもない。さらに、盗難や紛失防止の管理さえ適切に行えば、裁断細紙幣を悪用することを防止できる。また、不織布はフィルムのように透明性がなく、通気性・通水性があるため、裁断細紙幣を封入することに適している。また、熱溶着を行う装置としてシーラーが広く普及しているので、熱溶着を低コストで行うこともできる。
【００１６】
また、本考案の古紙幣パッドは、裁断処理によって得られる裁断細紙幣は、第１裁断細紙幣と、この第１裁断細紙幣よりも小さい第２裁断細紙幣と、によって形成され、不織布で構成された袋に封入する裁断細紙幣は、第１裁断細紙幣と第２裁断細紙幣との混合体であることを特徴とする。
【００１７】
上記構成によって、同一の重量の裁断細紙幣を袋に封入したときに、１種類の裁断細紙幣を用いた場合に比べ、袋の寸法を大きくすることができる。また、同一の寸法の袋に同一の重量の裁断細紙幣を封入したときには、１種類の裁断細紙幣を用いた場合に比べ、クッション性がよくなる。
【００１８】
また、本考案の古紙幣パッドにおける第１裁断細紙幣は０．２〜１．５ｍｍ×１．０〜１０ｍｍの略矩形状であり、第２裁断細紙幣は０．２〜１．５ｍｍ角の略矩形状であることを特徴とする。
【００１９】
上記構成によって、裁断細紙幣が第１裁断細紙幣と第２裁断細紙幣との混合体であることによる、上述の作用効果を得ることができる。
【００２０】
また、本考案の古紙幣パッドは、古紙幣パッドの袋は、幅が６〜１２ｃｍで長さが１３〜２０ｃｍの大きさであることを特徴とする。
【００２１】
上記の袋のサイズは、充填物として扱いやすく手頃な大きさである。
【００２２】
また、本考案の古紙幣パッドを用いた葬祭具は、袋に封入する前記裁断細紙幣の量を、４０〜８０ｇとしたことを特徴とする。
【００２３】
上記の重量は、充填物として扱いやすく手頃な重さである。また、裁断細紙幣を例えば６０ｇ封入する場合、１万円札で約６０枚分の重さに相当する。例えば４９個の古紙幣パッドを棺に納めるとすると、重量は約３ｋｇであり棺を運ぶ際の負担増とはならない。また、金額にすると約３０００万円相当となり、過去に盛んであった死者に大金を持たせる風習を、古紙幣パッドによって実現することができる。
【００２４】
また、上記課題を解決するために、本考案の古紙幣パッドを用いた葬祭具は、古紙幣パッドが棺の中に１個以上配置され、その古紙幣パッドが棺の中に納められた遺体と棺との隙間を埋めて、遺体を固定する充填物として機能していることを特徴とする。
【００２５】
上記構成によって、古紙幣パッドは、適度なクッション性を有しているため、遺体を固定する充填物として好適である。また、遺体は棺とともに火葬されるので、当然古紙幣パッドも焼却される。つまり、最終的に焼却廃棄されるものであり、用途も（すなわち流通経路も）限定されているため、出荷後の経過を把握することは容易となり、古紙幣を用いるにあたっての安全性が高まる。
【００２６】
また、本考案の古紙幣パッドを用いた葬祭具は、充填物としての古紙幣パッドは、仏教儀式における忌明けまでの日数に対応した個数だけ、棺の中に配置されていることを特徴とする。
【００２７】
より具体的には、本考案の古紙幣パッドを用いた葬祭具は、充填物としての古紙幣パッドは、棺の中に４９個配置されていることを特徴とする。
【００２８】
地方によっては、死者の成仏を願ったり、例えば四十九日あるいは三十五日の忌明け後に死者が地獄などの世界に行ったとき苦痛を受けずに済むように、日数分の餅を仏前に供えたり棺に納める風習がある。上記構成によって、古紙幣パッドを餅の代わりとして利用できる。また、最近の少子化に伴い親類縁者も少なくなり、核家族化によって地域とのつながりが希薄になっている現在では、餅をつくことを負担と思う遺族も多いと思われるため、これら遺族の負担を減少することができる。
【００２９】
また、上記課題を解決するために、本考案の古紙幣パッドを用いた葬祭具は、古紙幣パッドが葬祭具として遺体とともに棺の中に納められることを特徴とする。
【００３０】
上記構成によって、古紙幣パッドを、充填物のみならず葬祭用品としても活用することができる。また、遺体は棺とともに火葬されるので、当然古紙幣パッドも焼却される。つまり、最終的に焼却廃棄されるものであり、用途も（すなわち流通経路も）限定されているため、出荷後の経過を把握することは容易となり、古紙幣を用いるにあたっての安全性が高まる。
【００３１】
また、本考案の古紙幣パッドを用いた葬祭具は、棺の中に納められた遺体には頭陀袋が掛けられており、古紙幣パッドは頭陀袋の中に収納されることを特徴とする。
【００３２】
これから仏教修行の旅に出るという意味で、死者は頭陀袋を掛けている。本来ならば、修行に必要な物品を頭陀袋の中に収納するのであるが、入手が困難であったり高価であることが多いため、古紙幣パッドを用いれば、その代用とすることができる。
【００３３】
また、本考案の古紙幣パッドを用いた葬祭具は、古紙幣パッドの袋には、仏教儀式に関連する文字および図柄の少なくとも一方が印刷または貼り付けられ、もしくは仏教儀式に関連する文字および図柄の少なくとも一方が印刷されたラベルと一緒に、古紙幣パッドが遺体とともに棺の中に納められることを特徴とする。
【００３４】
上記構成によって、単なる充填物としてのみではなく、仏具等の代用品としても古紙幣パッドを使用することができる。また、ラベルを貼り付ける構成とすれば、宗派や風習に応じてラベルを用意することで、袋に印刷する構成に比べてより柔軟にニーズに対応できる。
【００３５】
また、本考案の古紙幣パッドを用いた葬祭具は、棺の中に納められた遺体には頭陀袋が掛けられており、古紙幣パッドは頭陀袋の中に収納され、別途用意された仏教儀式に関連する文字および図柄の少なくとも一方が印刷されたラベルがあれば、当該ラベルは頭陀袋の上に配置されることを特徴とする。
【００３６】
上記構成によって、頭陀袋の中に収納された袋（古紙幣パッド）が、仏教上どのような意味を持つものであるかが頭陀袋のから分かるようになる。
【００３７】
また、本考案の古紙幣パッドを用いた葬祭具における袋あるいはラベルには、六文銭の図柄が印刷されていることを特徴とする。
【００３８】
死者に大金を持たせる風習は古くからあったが、華美になり過ぎて江戸時代中頃に六文に限定されたことにより、「六文銭（六道銭ともいう）」を頭陀袋に納めるようになったといわれている。古紙幣パッドの内容物は、裁断細紙幣が６０ｇであれば、１万円札で約６０枚分すなわち６０万円分で、「六文銭」の「六」と「６０万円」の「６」とでは語呂もよく、この古紙幣パッドは、現在よく用いられている「六文銭」を印刷した紙に比べて、死者に持たせるにより相応しいものといえる。
【図面の簡単な説明】
【００３９】
【図１】本考案に係る古紙幣パッドの正面図。
【図２】古紙幣パッドの製法の一例を示す図。
【図３】古紙幣パッドの開口部を熱溶着する方法の一例を示す図。
【図４】古紙幣パッドに図柄を印刷した例を示す図。
【図５】古紙幣パッドに文字を貼り付けた例を示す図。
【図６】古紙幣パッドを頭陀袋に収納した例を示す図。
【図７】古紙幣パッドを充填材として用いた例を示す棺の上面図。
【図８】図７のＢ−Ｂ断面図。
【考案を実施するための形態】
【００４０】
以下、本考案の実施形態を、図面を参照しながら説明する。
図１に、本考案に係る古紙幣パッド１の正面図を示す。図１のように、古紙幣パッド１は、幅がＷで長さがＬの袋３に、裁断後の古紙幣に対してさらに裁断処理を行った裁断細紙幣２（詳細は後述）を封入したものとして構成される。また、古紙幣パッド１の上部には、裁断細紙幣２を充填後に、袋の開口部を熱溶着した熱溶着部１ａが形成されている。
【００４１】
袋３には不繊布が用いられる。不繊布の他に、布，紙，ビニール等のプラスチックの薄膜を用いてもよい。
【００４２】
また、袋３の幅Ｗ（すなわち古紙幣パッド１の幅）は６〜１２ｃｍ（両端の値を含む）であり、図１の例では９ｃｍとなっている。また、袋３の長さＬ（すなわち古紙幣パッド１の長さ）は１３〜２０ｃｍ（両端の値を含む）であり、図１の例では１６ｃｍとなっている。
【００４３】
図２に、古紙幣パッド１の製法の一例を示す。まず、裁断後の古紙幣４をミル（粉砕機）５に入れ、ミル５に含まれるカッター６がモータ７により回転することで、さらに裁断処理が行われて裁断細紙幣２が生成される。図２のように、裁断後の古紙幣４の寸法は、例えば幅Ｗ３が約１．５ｍｍで長さＬ３が約１３ｍｍの略矩形状のものを比較的多く含むものとなっている。
【００４４】
また、カッター６に例えば２種類の刃を用いることで、図２のように、裁断細紙幣２は、第１裁断細紙幣２ａと、この第１裁断細紙幣よりも小さい第２裁断細紙幣２ｂとを含む構成となっている。
【００４５】
第１裁断細紙幣２ａは、０．２〜１．５ｍｍ×１．０〜１０ｍｍ（それぞれ両端の値を含む）の略矩形状であり、図２の例では、例えば幅Ｗ１が約１．５ｍｍで長さＬ１が約１０ｍｍの略矩形状となっている。また、第２裁断細紙幣２ｂは、０．２〜１．５ｍｍ（両端の値を含む）角の略矩形状であり、図２の例では、幅Ｗ２が約１ｍｍで長さＬ２が約１ｍｍの略矩形状となっている。
【００４６】
また、上述の幅Ｗが９ｃｍで長さＬが１６ｃｍの袋３には、４０〜８０ｇ（両端の値を含む）の裁断細紙幣２が封入される。本実施例では、６０ｇの裁断細紙幣２が封入されている。
【００４７】
不織布の袋３に裁断細紙幣２を充填後には、例えばシーラー（図示せず）等により開口部３ａが熱溶着される。図３に、その一例を示す。図３のように、シーラーに含まれるヒーターブロック８ａ，８ｂによって袋３の開口部３ａを挟むとともに熱を加え、開口部３ａを熱溶着して、裁断細紙幣２を封入状態とする。
【００４８】
なお、袋３に布，紙，ビニール等のプラスチックの薄膜を用いる場合には、熱溶着の他に、接着材を用いて裁断細紙幣２を封入状態としてもよい。
【００４９】
図４に、古紙幣パッド１に、仏教儀式に関連する文字あるいは図柄１ｂを印刷する例を示す。図４では、古紙幣パッド１に図柄として六文銭を印刷した例を示している。印刷する文字および図柄についての制約は特にない。文字と図柄との両方を印刷してもよい。
【００５０】
図５に、古紙幣パッド１に設けられた貼り付け部１ｃに、仏教儀式に関連する文字（図５の例では梵字）を印刷したラベル１ｄを貼付する例を示す。ラベル１ｄは、熱溶着や接着剤によって貼り付けてよいし、縫い付けてもよい。
【００５１】
図６に、古紙幣パッド１を、葬祭具として頭陀袋１２の中に収納する例を示す。この場合、頭陀袋１２に上述のラベル１ｄを貼付してもよい。貼付の方法は、上述と同様に、熱溶着，接着，縫い付けのいずれを用いてもよい。
【００５２】
図７に、古紙幣パッド１を、遺体１０と棺１３との隙間を埋めて、遺体１０を固定する充填物として用いる例を示す。また、図８に、図７のＢ−Ｂ断面図を示す。充填物として用いる古紙幣パッド１の数は、例えば４９個あるいは３５個のような忌明けまでの日数に対応した個数とされる。この場合の古紙幣パッド１は餅の代わりとして納められている。無論、遺体１０と棺１３との全ての隙間を埋めるように納めてもよい。
【００５３】
また、古紙幣パッド１を、充填物としてではなく、葬祭具としてとして棺１３の中に納めてもよい。この場合、たとえば、図５のような、仏教儀式に関連する文字あるいは図柄を印刷したラベル（１ｂ，１ｄ）を貼付した古紙幣パッド１を、棺１３の中に納める。このとき、図７のように古紙幣パッド１を必ずしも隙間なく詰める必要はなく、仏教儀式おいて必要となる個数（例えば１個でもよい）を棺１３の中の所定の位置（例えば遺体の頭部付近）に納める。
【００５４】
また、遺体１０には、頭陀袋１２が掛けられている。頭陀袋１２の中には、例えば図４のような六文銭の図柄１ｂが印刷された古紙幣パッド１が収納されている。
【産業上の利用可能性】
【００５５】
納棺用途以外にも使用後に焼却することが確実なパッドにも適用可能である。
【符号の説明】
【００５６】
１    古紙幣パッド
１ｂ  文字あるいは図柄
１ｄ  ラベル
２    裁断細紙幣
２ａ  第１裁断細紙幣
２ｂ  第２裁断細紙幣
３    袋
３ａ  開口部
４    裁断後の古紙幣
５    ミル
８ａ，８ｂ  ヒーターブロック
１０    遺体
１２    頭陀袋
１３    棺
【図１】
0003153238.tif 000003
【図２】
0003153238.tif 000004
【図３】
0003153238.tif 000005
【図４】
0003153238.tif 000006
【図５】
0003153238.tif 000007
【図６】
0003153238.tif 000008
【図７】
0003153238.tif 000009
【図８】
0003153238.tif 000010